(57)【特許請求の範囲】
【請求項１】
開口部が設けられた筐体と、
上記開口部に配置され、上記筐体内で進退可能なボタンと、
上記筐体に収容され、上記ボタンを介して操作されるスイッチと、
上記開口部の周縁部から上記筐体内に延びた壁と、
上記ボタンと上記スイッチとの間に位置され上記開口部を覆うとともに、上記壁の周面に沿う端部を有したシーリング部材と、
上記シーリング部材の端部を上記壁の周面に押圧する押圧部と、上記ボタンと上記スイッチとの間に位置された可動部と、上記可動部と上記押圧部とを繋ぐ部分とを備えた保持部材と、
を具備したことを特徴とする電子機器。
【請求項２】
請求項１に記載の電子機器において、
上記シーリング部材の端部は、上記壁の外周面に沿い、
上記保持部材は、上記シーリング部材の端部を上記壁の外周面に押圧することを特徴とする電子機器。
【請求項３】
請求項２に記載の電子機器において、
上記筐体内に設けられ、上記保持部材の外周面を支持する他の壁を備えたことを特徴とする電子機器。
【請求項４】
請求項１ないし請求項３のいずれかに記載の電子機器において、
上記シーリング部材の端部を外れた部位の厚さは、上記端部の厚さに比べて薄いことを特徴とする電子機器。
【請求項５】
開口部が設けられた筐体と、
上記筐体に収容されたスイッチと、
上記開口部内で移動可能なボタンと、
上記筐体内に設けられ、上記開口部を囲む枠と、
上記ボタンと上記スイッチとの間に配置されたシーリング部材と、
上記シーリング部材の端部を上記枠の周面との間に挟み、上記枠に嵌合された第１の部分と、上記ボタンと上記スイッチとの間に位置された第２の部分と、この第２の部分と上記第１の部分との間に設けられ、上記第２の部分を移動可能に支持した第３の部分とを備えたホルダと、
を具備したことを特徴とする電子機器。
【請求項６】
請求項５に記載の電子機器において、
上記ホルダの第１の部分は、上記シーリング部材を取り囲む枠体に形成され、上記シーリング部材の端部は、上記枠の外周面と上記ホルダの第１の部分の内周面との間で圧縮保持されたことを特徴とする電子機器。
【請求項７】
請求項６に記載の電子機器において、
上記枠を囲む他の枠を備え、上記シーリング部材の端部および上記ホルダは、上記枠と上記他の枠との間に嵌合されたことを特徴とする電子機器。
【請求項８】
請求項５に記載の電子機器において、
上記シーリング部材の端部を外れた部位の厚さは、上記端部の厚さに比べて薄いことを特徴とする電子機器。
【発明の詳細な説明】
【技術分野】
【０００１】
本発明は、押しボタンを有する電子機器に係り、特に押しボタン回りにシール構造を備えた電子機器に関する。
【背景技術】
【０００２】
例えばポータブルコンピュータのような電子機器は、例えば電源スイッチボタンやクリックスイッチボタンのような押しボタンを備えている。押しボタンは、筐体の開口部に配置され、手の指先などで押せるようになっている。
【０００３】
例えば電子機器の使用中に誤って押しボタンの上にコーヒーや水をこぼした場合、この液体は上記開口部を通じて筐体内に浸入するおそれがある。そこで、シール構造を有するプッシュスイッチが提供されている（例えば、特許文献１参照）。
【０００４】
特許文献１に記載のプッシュスイッチは、スライド、可動切片、可動接点、固定接点、およびシーリング部材を備える。シーリング部材は、スライドが設けられるハウジングケースと、可動切片が設けられるハウジングベースとの間に配置され、可動接点および固定接点が設けられるハウジングベース内の空間部を閉塞する。使用者がスライドに外力を加えると、シーリング部材および可動切片が順次押圧され、可動接点が移動して固定接点に接触し入力が行なわれる。
【特許文献１】特開平１０−３３４７５９号公報
【発明の開示】
【発明が解決しようとする課題】
【０００５】
例えばゴムやスポンジのようなシーリング部材は、厚さ方向に例えば２０％〜４０％程度圧縮された状態で使用される。シーリング部材を上記程度圧縮するためには、相応の力が必要となる。特にボタンサイズが大きくなればシーリング部材も大型化するため、シーリング部材を固定するのに大きな力が必要となる。したがってボタンサイズの大型化は、シーリング部材を固定する固定部材の増加を招く。
【０００６】
例えば特許文献１に記載のプッシュスイッチを用いた場合、このプッシュスイッチが大型化するに伴なって、ハウジングケースとハウジングベースとを互いに連結する固定部の規模が大きくなる。
【０００７】
本発明の目的は、ボタンの大きさ及び形状に関わらず開口部回りを容易にシールするシール構造を備えた電子機器を得ることにある。
【課題を解決するための手段】
【０００８】
上記目的を達成するため、本発明の一つの形態に係る電子機器は、開口部が設けられた筐体と、上記開口部に配置され、上記筐体内で進退可能なボタンと、上記筐体に収容され、上記ボタンを介して操作されるスイッチと、上記開口部の周縁部から上記筐体内に延びた壁と、上記ボタンと上記スイッチとの間に位置され上記開口部を覆うとともに、上記壁の周面に沿う端部を有したシーリング部材と、保持部材とを具備する。上記保持部材は、上記シーリング部材の端部を上記壁の周面に押圧する押圧部と、上記ボタンと上記スイッチとの間に位置された可動部と、上記可動部と上記押圧部とを繋ぐ部分とを備える。
【発明の効果】
【０００９】
この構成によれば、シーリング部材の圧縮方向と保持部材の取付方向とが互いに異なる。したがってボタンの大きさ及び形状に関わらず開口部回りが容易にシールされる。
【発明を実施するための最良の形態】
【００１０】
以下に本発明の実施の形態を、ポータブルコンピュータに適用した図面に基づいて説明する。  
図１ないし図５は、本発明の第１の実施形態に係る電子機器としてのポータブルコンピュータ１を開示している。図１に示すように、ポータブルコンピュータ１は、本体２と表示ユニット３とを備えている。
【００１１】
本体２は、本体ベース４と本体カバー５とを備える。本体カバー５は、本体ベース４に上方から取り付けられる。これにより、本体２は、上壁６ａ、側壁６ｂ、および下壁（図示しない）を有する箱状の筐体６を備える。
【００１２】
表示ユニット３は、ディスプレイハウジング７と、このディスプレイハウジング７に収容された液晶表示パネル８とを備えている。液晶表示パネル８は、表示画面８ａを有する。表示画面８ａは、ディスプレイハウジング７の前面の開口部７ａを通じてディスプレイハウジング７の外部に露出している。
【００１３】
表示ユニット３は、筐体６の後端部に図示しないヒンジ装置を介して支持されている。そのため、表示ユニット３は、上壁６ａを上方から覆うように倒される閉じ位置と、上壁６ａおよび表示画面８ａを露出させるように起立する開き位置との間で回動可能である。
【００１４】
図２に示すように、筐体６は、上壁６ａの後端部に開口する第１の開口部１１と、この第１の開口部１１に取り付けられるカバー１２とを有する。カバー１２は、第１の開口部１１に着脱自在に取り付けられ第１の開口部１１を覆うとともに、上壁６ａの一部を構成する。筐体６は、回路基板１３を収容している。
【００１５】
図１に示すように、ポータブルコンピュータ１は、押しボタンユニット１５を有する。図３および図４に示すように、押しボタンユニット１５は、接触スイッチ２１（以下、スイッチ２１と略）、ボタン２２、シーリング部材２３、およびホルダ２４を有する。スイッチ２１は、回路基板１３に実装されている。ホルダ２４は、保持部材の一例である。
【００１６】
図３および図４に示すようには、カバー１２には、第２の開口部３１（以下、開口部３１）が開口している。開口部３１は、ボタン２２の外形に比べて一回り大きな開口形状を有する。開口部３１の周縁部には、起立壁３２が設けられている。
【００１７】
起立壁３２は、上壁６ａから起立して筐体６の内部に延びるとともに、開口部３１の全周を取り囲む枠体に形成されている。起立壁３２は、外周部３３と内周部３４とを有する。外周部３３は、内周部３４に比べて大きく突出している。
【００１８】
ボタン２２は、開口部３１に配置される。ボタン２２は、上壁２２ａ、側壁２２ｂ、縁部２２ｃ、および押圧突起２２ｄを有する。上壁２２ａは、開口部３１を通じて筐体６の外部に露出され、ユーザーが直接押せるようになっている。側壁２２ｂは、上壁２２ａの周縁から筐体６内を向いて延びている。縁部２２ｃは、側壁２２ｂの延伸端からボタン２２の外側を向いて延びている。押圧突起２２ｄは、上壁２２ａから筐体６の内部を向いて延びており、スイッチ２１に対向する。
【００１９】
ボタン２２が配置された時、縁部２２ｃの上面が起立壁３２の内周部３４の下面に接する。これにより、ボタン２２が筐体６の外部に飛び出さないようになっている。図４および図５に示すように、ボタン２２は、筐体６内に収容されたスイッチ２１に対向する。ボタン２２は、スイッチ２１に近接する方向と離れる方向とに沿って筐体６内に進退自在である。ボタン２２は、シーリング部材２３を介してスイッチ２１を操作する。
【００２０】
図４に示すように、シーリング部材２３は、ボタン２２とスイッチ２１との間に配置される。シーリング部材２３は、フラット部３６と起立部３７とを有する。フラット部３６は、開口部３１より大きく形成され、開口部３１の下方全体を覆う。起立部３７は、フラット部３６の全周囲の縁部から筐体上壁６ａを向いて起立している。すなわちシーリング部材２３は、平滑な底を有するカップ状に形成されている。起立部３７は周端部の一例である。
【００２１】
起立部３７は、起立壁３２の外周面３２ａに沿って取り付けられ、起立壁３２の外周を取り囲む。起立部３７は、ホルダ２４と起立壁３２との間で厚さ方向に例えば十分の数ミリ圧縮された状態で使用される。そのため起立部３７は、圧縮されるのに必要な十分な厚さを有する。起立部３７の厚さの一例は、１ｍｍ〜２ｍｍである。
【００２２】
フラット部３６は、圧縮されることがない部位であり、起立部３７のような厚さは必要ない。フラット部３６の厚さの一例は、０．１ｍｍである。ただし、フラット部３６の厚さは特に限定されるものではなく、例えば起立部３７と略同じでも良い。シーリング部材２３は、例えばゴムまたはスポンジのような弾性を有する材料で形成される。
【００２３】
図３に示すように、ホルダ２４は、起立壁３２に比べて大きくシーリング部材２３を取り囲む枠体に形成されている。ホルダ２４は、外周面２４ａと内周面２４ｂとを有する。内周面２４ｂの内径は、シーリング部材２３の外径に比べて一回り小さく形成されている。
【００２４】
図４に示すように、ホルダ２４は、シーリング部材２３の起立部３７を起立壁３２との間に挟みこむようにして起立壁３２に嵌合される。起立壁３２に嵌合したホルダ２４は、シーリング部材２３の起立部３７を起立壁３２の外周面３２ａに押圧する。これによりシーリング部材２３の起立部３７は、ホルダ２４の内周面２４ｂと起立壁３２の外周面３２ａとの間で圧縮して保持される。シーリング部材２３の起立部３７が圧縮されると、筐体６の内部空間が開口部３１から液密に隔離される。
【００２５】
筐体上壁６ａの裏面からは一対の取付突起４１ａ，４１ｂが突出している。ホルダ２４は、取付突起４１ａ，４１ｂに対応する位置に一対の取付孔４２ａ，４２ｂを有する。ホルダ２４は、取付孔４２ａ，４２ｂに取付突起４１ａ，４１ｂを挿入して位置合わせがなされる。ホルダ２４が取り付けられた後、取付突起４１ａ，４１ｂの先端をホルダ２４に溶着することで、ホルダ２４が筐体６内に確実に固定される。なお、ホルダ２４の取り付けは溶着に限らず、例えば筐体６にねじ止めなどしても良い。
【００２６】
次にポータブルコンピュータ１の作用について説明する。  
図５に示すように、ユーザーがボタン２２を押すと、ボタン２２が筐体６内に沈み込む。ボタン２２が下方に移動するのに伴ってシーリング部材２３のフラット部３６が弾性変形し、フラット部３６の下面がスイッチ２１に接する。フラット部３６がスイッチ２１に接すると、スイッチ２１が反応し、ポータブルコンピュータ１に信号が入力される。ユーザーがボタン２２から指を離すと、ボタン２２はシーリング部材２３の弾性力により元の位置に復帰する。
【００２７】
シーリング部材２３のフラット部３６が開口部３１の下方全体を覆っている。さらにシーリング部材２３の起立部３７がホルダ２４と起立壁３２との間で圧縮保持され、開口部３１に通じる空間を筐体６の内部から液密に隔離している。
【００２８】
これにより、例えばポータブルコンピュータ１の操作中に誤ってコーヒーや水のような液体を筐体上壁６ａにこぼしたとしても、液体が開口部３１を通じて筐体６内に浸入することが防止される。
【００２９】
このような構成のポータブルコンピュータ１によれば、ボタン２２の大きさ及び形状に関わらず開口部３１回りが容易にシールされる。すなわち、例えば開口部３１回りに形成された壁の下面にシーリング部材を圧縮固定する場合、シーリング部材の圧縮方向とシーリング部材を固定する固定部材の取付方向とが互いに一致する。したがって固定部材はシーリング部材の圧縮に対する反力に逆らって取り付けられることになる。このため、ボタンが大型であったりボタン形状が複雑であったりすると、シーリング部材を固定する板金やねじなどの固定部材の大型化及び数の増加を招く。
【００３０】
しかし、本実施形態に係るシーリング部材２３は、起立壁３２とホルダ２４との間に挟まれて圧縮保持される。すなわち、シーリング部材２３の圧縮方向は、上壁６ａに平行な方向であり、ホルダ２４の取付方向（すなわち固定方向）は上壁６ａに対して直交する方向であり、この両者は互いに方向が異なる。
【００３１】
つまり、ポータブルコンピュータ１においては、ホルダ２４はシーリング部材２３からその取付方向に対して反力を受けない。したがって、ホルダ２４をその取付方向に沿って固定する固定部材（本実施形態では取付突起４１ａ，４１ｂ）は、それほど大きな耐力を必要とせず小型化を図ることができる。
【００３２】
換言すれば、例えボタン２２のサイズ及び形状に伴なってシーリング部材２３が大型化および形状が複雑化しても、固定部材がホルダ２４を固定するのに必要な力はほとんど変わらない。したがって固定部材を大型化したり数を増加させたりする必要は無い。つまり、大きなボタンや形状が複雑なボタンが設けられる電子機器においても、起立壁３２およびホルダ２４を開口部３１の形状に合わせて形成することで開口部３１回りを容易に均一にシールすることができる。
【００３３】
さらに言えば、押しボタンユニット１５を小型化できるということであり、筐体６内の小さなスペースにも設置可能な押しボタンユニット１５を得ることができる。
【００３４】
シーリング部材２３が起立壁３２の外周面３２ａまで亘っていると、そのさらに外側に配置されるホルダ２４が開口部３１を通じて筐体６の外部に露出されないのでポータブルコンピュータ１の見栄えが良くなる。
【００３５】
シーリング部材２３は起立部３７が圧縮される。逆を言えば、フラット部３６は圧縮されない。したがって、フラット部３６の厚さを起立部３７の厚さに比べて薄くすることができる。例えばフラット部３６の厚さが一定以上であると、ボタン２２を押したときの感触がゴムを押したときの感触に近くなりあまりユーザーに好まれない。しかし、フラット部３６を薄く形成することでユーザーはゴムの感触を感じること無く操作できるようになり、ポータブルコンピュータ１の操作性が向上する。
【００３６】
ホルダ２４が筐体６と別体に設けられることで、シーリング部材２３を起立壁３２とホルダ２４との間に容易に挟み込むことができる。
【００３７】
次に、本発明の第２の実施形態に係る電子機器としてのポータブルコンピュータ５１について、図６および図７を参照して説明する。なお第１の実施形態に係るポータブルコンピュータ１と同じ機能を有する構成は、同一の符号を付してその説明を省略する。
【００３８】
ポータブルコンピュータ５１は、押しボタンユニット５２と第２の起立壁５３とを備える。押しボタンユニット５２は、スイッチ２１、ボタン２２、シーリング部材２３、およびホルダ５４を有する。図６に示すように、第２の起立壁５３は、上壁６ａから起立して筐体６の内部に延びている。第２の起立壁５３は、起立壁３２（以下、説明のため第１の起立壁３２）との間に互いに間隔を空けて、第１の起立壁３２を取り囲む枠体に形成されている。第２の起立壁５３からは、取付突起４１ａ，４１ｂが突出している。
【００３９】
ホルダ５４は、枠体５５と一対の取付部５６ａ，５６ｂとを有する。枠体５５の外径は、第２の起立壁５３の内径と略同じである。取付部５６ａ，５６ｂは、枠体５５の両端部に分かれて配置され、それぞれ取付孔４２ａまたは取付孔４２ｂが形成されている。
【００４０】
図７に示すように、ホルダ５４は、シーリング部材２３の起立部３７を第１の起立壁３２との間に挟み込むようにして、第１の起立壁３２と第２の起立壁５３との間に嵌合される。第１および第２の起立壁３２，５３の間に嵌合したホルダ５４は、シーリング部材２３の起立部３７を第１の起立壁３２の外周面３２ａに押圧する。ホルダ５４の外周面５４ａは、第２の起立壁５３により外側から支持される。
【００４１】
このような構成のポータブルコンピュータ５１によれば、ボタン２２の大きさ及び形状に関わらず開口部３１回りが容易にシールされる。すなわち、シーリング部材２３は、第１の起立壁３２とホルダ５４との間で圧縮保持される。これにより第１の実施形態と同様に、大きなボタンや形状が複雑なボタンが設けられる電子機器においても、固定部材の大型化や数の増加を招くことなく、開口部回りを容易に均一にシールすることができる。
【００４２】
本実施形態に係るポータブルコンピュータ５１は、さらに第２の起立壁５３を備える。ホルダ５４は、シーリング部材２３から外側に向かう反力を受ける。したがって、例えばホルダ５４の強度が不足していると、ホルダ５４が外側に撓むおそれがある。ホルダ５４が撓むとそれだけシール性が損なわれる。しかしながら第２の起立壁５３がホルダ５４の外周面５４ａを支持すると、ホルダ５４が撓みを生じない。これにより、ポータブルコンピュータ５１は、さらに高いレベルのシール性を確保することができる。
【００４３】
さらに、第２の起立壁５３が設けられていると、ホルダ５４の取り付けがホルダ５４の外周面５４ａを第２の起立壁５３に沿わせることでよりスムーズに行うことができる。これはポータブルコンピュータ５１の組立性の向上に寄与する。
【００４４】
次に、本発明の第３の実施形態に係る電子機器としてのポータブルコンピュータ６１について、図８ないし図１０を参照して説明する。なお第１および第２の実施形態に係るポータブルコンピュータ１，５１と同じ機能を有する構成は、同一の符号を付してその説明を省略する。
【００４５】
ポータブルコンピュータ６１は押しボタンユニット６２を備える。押しボタンユニット６２は、スイッチ２１、ボタン２２、シーリング部材２３、およびホルダ６３を備える。シーリング部材２３のフラット部３６の中央部には、円筒状の突起６４が設けられている。ホルダ６３は、枠体５５、取付部５６ａ，５６ｂ、ヘッド部６５、および一対のアーム部６６ａ，６６ｂを有する。枠体５５は、固定部の一例である。ヘッド部６５は、可動部の一例である。
【００４６】
図８に示すように、ヘッド部６５は、円筒状に形成され、ホルダ６３の中央部に位置している。図９に示すように、ヘッド部６５はスイッチ２１の上方に配置され、スイッチ２１に対向している。図８に示すように、一方のアーム部６６ａは、枠体５５の一端からヘッド部６５に亘って設けられ、ヘッド部６５を枠体５５に繋ぐ。他方のアーム部６６ｂは、枠体５５の他端からヘッド部６５に亘って設けられ、ヘッド部６５を枠体５５に繋ぐ。アーム部６６ａ，６６ｂの一例は、例えば合成樹脂のような弾性体で形成される。ヘッド部６５はアーム部６６ａ，６６ｂに支持され、スイッチ２１に近接または離間する方向に沿って進退自在である。
【００４７】
ヘッド部６５は、シーリング部材２３を向いて開口する開口穴６５ａを有する。開口穴６５ａは、シーリング部材２３の突起６４に対応する位置に設けられ、突起６４が挿入される。
【００４８】
次に、ポータブルコンピュータ６１の作用について説明する。  
図１０に示すように、ユーザーがボタン２２を押すと、ボタン２２が筐体６内に沈み込む。ボタン２２が下方に移動するのに伴ってシーリング部材２３を介してホルダ６３のアーム部６６ａ，６６ｂが弾性変形し、ヘッド部６５がスイッチ２１に接する。ヘッド部６５がスイッチ２１に接すると、スイッチ２１が反応し、ポータブルコンピュータ６１に信号が入力される。ユーザーがボタン２２から指を離すと、ボタン２２はアーム部６６ａ，６６ｂの弾性力により元の位置に復帰する。
【００４９】
このような構成のポータブルコンピュータ６１によれば、ボタン２２の大きさ及び形状に関わらず開口部３１回りが容易にシールされる。すなわち、シーリング部材２３は、第１の起立壁３２とホルダ６３との間で圧縮保持される。これにより第２の実施形態と同様に、大きなボタンや形状が複雑なボタンが設けられる電子機器においても、固定部材の大型化や数の増加を招くことなく、開口部回りを容易に均一にシールすることができる。
【００５０】
さらに本実施形態に係るホルダ６３は、ヘッド部６５とアーム部６６ａ，６６ｂとを有する。ボタン２２がアーム部６６ａ，６６ｂにより弾性支持されることで、ボタン２２を押した時の感触からゴムの感触を払拭し、ユーザーに好まれる操作感を演出することができる。
【００５１】
さらに、アーム部６６ａ，６６ｂの数、取付位置、長さまたは厚さなどを調整することで、ヘッド部６５の反発力を容易に調整することができる。これによりボタン２２を押した時の感触（すなわちクリック感）を容易に調整することが可能となり、より操作性の向上を図ったポータブルコンピュータ６１を得ることができる。
【００５２】
なお図１１で示すように、シーリング部材２３の起立部３７とフラット部３６とを互いに別部材で形成しても良い。この場合、フラット部３６は例えば可撓性を有する合成樹脂製のシートでも良い。シートで形成されたフラット部３６は、起立部３７の下端に例えば接着部材などで貼り付けられる。
【００５３】
第１の実施形態に係るホルダ２４のような第２の起立壁５３に支持されないホルダにヘッド部６５およびアーム部６６ａ，６６ｂを設けても良い。ホルダ６３がアーム部６６ａ，６６ｂを有せば、シーリング部材２３は可撓性を有すれば良く弾性体である必要はない。
【００５４】
次に、本発明の第４の実施形態に係る電子機器としてのポータブルコンピュータ７１について、図１２を参照して説明する。なお第１ないし第３の実施形態に係るポータブルコンピュータ１，５１，６１と同じ機能を有する構成は、同一の符号を付してその説明を省略する。ポータブルコンピュータ７１は、押しボタンユニット７２を有する。
【００５５】
ポータブルコンピュータ７１の第１の起立壁３２は、互いに並んで設けられる２つの開口部３１，３１を併せて取り囲む。押しボタンユニット７２のシーリング部材２３は、２つの開口部３１，３１の下方を全て覆う。ホルダ６３は、複数のスイッチ２１に対向する複数のヘッド部６５と、各ヘッド部６５を枠体５５につなげるアーム部６６ａ，６６ｂとを有する。
【００５６】
このような構成のポータブルコンピュータ７１によれば、ボタン２２の大きさ及び形状に関わらず開口部３１回りが容易にシールされる。特に複数のボタンを併せてシールするシール構造に本発明の実施形態を適用することは、例えボタン２２の数が多くても、固定部材の大型化や数の増加を招くことなく開口部回りを容易に均一にシールできるので有効である。
【００５７】
次に、本発明の第５の実施形態に係る電子機器としてのポータブルコンピュータ８１について、図１３を参照して説明する。なお第１ないし第３の実施形態に係るポータブルコンピュータ１，５１，６１と同じ機能を有する構成は、同一の符号を付してその説明を省略する。
【００５８】
ポータブルコンピュータ８１は、押しボタンユニット８２を備える。押しボタンユニット８２は、スイッチ２１、ボタン２２、シーリング部材８３、およびホルダ８４とを有する。  
ポータブルコンピュータ８１の起立壁３２は、その延伸端から開口部３１の内側を向いて延びる底壁８５を有する。図１３に示すように、シーリング部材８３は、底壁８５に載置され、ボタン２２とスイッチ２１との間に配置される。シーリング部材８３の起立部３７は、起立壁３２の内周面３２ｂに沿って取り付けられる。
【００５９】
図１３に示すように、ホルダ８４は開口部３１に取り付けられる。ホルダ８４は、シーリング部材８３の起立部３７を起立壁３２との間に挟みこむようにして起立壁３２に嵌合される。起立壁３２に嵌合されたホルダ８４は、シーリング部材８３の起立部３７を起立壁３２の内周面３２ｂに押圧する。これによりシーリング部材８３の起立部３７は、ホルダ８４の外周面８４ａと起立壁３２の内周面３２ｂとの間で圧縮して保持される。
【００６０】
このような構成のポータブルコンピュータ８１によれば、ボタン２２の大きさ及び形状に関わらず開口部３１回りが容易にシールされる。すなわち、シーリング部材８３は、起立壁３２とホルダ８４との間で圧縮保持される。これにより第１の実施形態と同様に、大きなボタンや形状が複雑なボタンが設けられる電子機器においても、固定部材の大型化や数の増加を招くことなく、開口部３１回りを容易に均一にシールすることができる。
【００６１】
次に、他の実施形態に係る電子機器としてのポータブルコンピュータ１０１について、図１４を参照して説明する。なお第１ないし第３の実施形態に係るポータブルコンピュータ１，５１，６１と同じ機能を有する構成は、同一の符号を付してその説明を省略する。
【００６２】
ポータブルコンピュータ１０１は、押しボタンユニット１０２を備える。押しボタンユニット１０２は、スイッチ２１、ボタン２２、シーリング部材１０３、およびホルダ１０４を備える。シーリング部材１０３は板状に形成されている。ホルダ１０４は、取付部１０５、ヘッド部６５、およびアーム部６６ａ，６６ｂを有する。ホルダ１０４の取付部１０５は、シーリング部材１０３の周端部を起立壁３２の下面との間に挟み込むようにして起立壁３２にねじ止めされる。シーリング部材１０３は、起立壁３２の下面とホルダ１０４の上面との間で圧縮保持される。なお、ホルダ１０４はねじ止めに代えて筐体６に溶着されても良い。
【００６３】
このような構成のポータブルコンピュータ１０１によれば、ボタン２２がアーム部６６ａ，６６ｂにより弾性支持されることで、ボタン２２を押した時の感触からゴムの感触を払拭し、ユーザーに好まれる操作感を演出することができる。
【００６４】
さらに、アーム部６６ａ，６６ｂの数、取付位置、長さまたは厚さなどを調整することで、ヘッド部６５の反発力を容易に調整することができる。これによりボタン２２を押した時の感触を調整することが可能となり、より操作性の向上を図ったポータブルコンピュータ１０１を得ることができる。
【００６５】
以上、本発明の第１ないし第５の実施形態に係るポータブルコンピュータ１，５１，６１，７１，８１について説明したが、本発明はもちろんこれらに限定されるものではない。例えば本発明に係る実施形態の各構成要素は適宜に組み合わせて用いることができる。本発明の実施形態は、例えばタッチパッドのボタンや電源ボタンのようなあらゆる押しボタンに適用することができる。本発明の実施形態が適用可能はポータブルコンピュータに限らず、例えば携帯電話機、デジタルカメラ、ビデオカメラ、またはパーソナルデジタルアシスタントのような種々の電子機器に適用可能である。
【図面の簡単な説明】
【００６６】
【図１】本発明の第１の実施形態に係るポータブルコンピュータの斜視図。
【図２】図１中に示されたポータブルコンピュータを一部分解して示す斜視図。
【図３】本発明の第１の実施形態に係る押しボタンユニットを分解して示す斜視図。
【図４】本発明の第１の実施形態に係る押しボタンユニットの断面図。
【図５】図４中に示されたボタンが押された状態を示す断面図。
【図６】本発明の第２の実施形態に係る押しボタンユニットを分解して示す斜視図。
【図７】本発明の第２の実施形態に係る押しボタンユニットの断面図。
【図８】本発明の第３の実施形態に係る押しボタンユニットを分解して示す斜視図。
【図９】図８に示された押しボタンユニットのＦ９−Ｆ９線に沿う断面図。
【図１０】図９中に示されたボタンが押された状態を示す断面図。
【図１１】本発明の第３の実施形態に係る押しボタンユニットの変形例の断面図。
【図１２】本発明の第４の実施形態に係る押しボタンユニットの断面図。
【図１３】本発明の第５の実施形態に係る押しボタンユニットの断面図。
【図１４】他の実施形態に係る押しボタンユニットの断面図。
【符号の説明】
【００６７】
１…ポータブルコンピュータ、６…筐体、１５…ボタンユニット、２１…スイッチ、２２…ボタン、２３…シーリング部材、２４…ホルダ、３１…開口部、３２…起立壁、３６…フラット部、３７…起立部、５１…ポータブルコンピュータ、５３…第２の起立壁、５４…ホルダ、６１…ポータブルコンピュータ、６３…ホルダ、６５…ヘッド部、６６ａ．６６ｂ…アーム部。
【図１】
0004738199.tif 000002
【図２】
0004738199.tif 000003
【図３】
0004738199.tif 000004
【図４】
0004738199.tif 000005
【図５】
0004738199.tif 000006
【図６】
0004738199.tif 000007
【図７】
0004738199.tif 000008
【図８】
0004738199.tif 000009
【図９】
0004738199.tif 000010
【図１０】
0004738199.tif 000011
【図１１】
0004738199.tif 000012
【図１２】
0004738199.tif 000013
【図１３】
0004738199.tif 000014
【図１４】
0004738199.tif 000015